(57)【特許請求の範囲】
【請求項１】
対向して設けた左右の側板には、互いに対向する内面に互いに対応する複数の支持溝を設けるとともに、左右の側板間の間隔を調節する手段を有する板材収納枠であって、
該左右の側板の一方を他方の側板に向けて移動できるようにした可動側板とし、
前記側板または側板の上下に設けられる天板、底板または側板と天板、底板を連結し、側板に固着されるジョイントの中から適宜選択される部材の互いに対向する内面の少なくとも一方に互いに対向する内面の間隔が向き合う支持溝の間隔より小さくなるように突出する調整用突部を設け、
前記可動側板の４隅にそれぞれ固着している前記各ジョイントの内部には軸心が直交するように配置した水平軸のピニオン歯車と垂直軸のピニオン歯車を回動自在に設け、該ジョイントの内部に設けられた水平軸のピニオン歯車が水平方向に隣り合うジョイントの水平軸のピニオン歯車と、１本の回転する水平軸で連結され、垂直軸のピニオン歯車が上下に隣り合うジョイントの垂直軸のピニオン歯車と、１本の回転する垂直軸で連結されていて、
ガイドレールの水平面と垂直面には、前記ジョイント内に設けた前記ピニオン歯車と噛合するラックがその全長にわたって刻設されていて、前記各ジョイントに対応して天板と底板の内面にガイドレールとラックが設けられている板材収納枠。
【請求項２】
板材を抜き差しする側板の向き合う支持溝の間隔が、該支持溝と重ならない位置の互いに向き合う内面の間隔より大きくなるように前記調整用突部を設けた請求項１記載の板材収納枠。
【発明の詳細な説明】
【０００１】
【発明の属する技術分野】
本発明は、各種電気・電子機器に組み込まれるプリント基板やその他の産業分野で使用される板材（例えば建築材料としてのパネル等）を収納する枠体であって、詳しくは、それら板材の幅寸法の変化に対応できる板材収納枠に関する。
【０００２】
【従来の技術】
従来の収納枠の例を図１２を参照して説明する。同図においては、上下に一定の間隔をあけて天板９１と底板９２を４本の支柱９３，９３，９３，９３で固定し左右いずれか一方に直立した側板９５を他方に直立した固定側板９４に向け水平方向に移動可能に設けると共に所望位置で固定できるように、上記天板９１と底板９２に長孔９６を設け、該長孔９６には外側から固定できる六角ボルトや長ネジ等の回転締付部材９７の軸部を挿通させて、上記可動側板９５の外側で上記長孔９６に対応する位置にスライド枠９８を固着させ、該スライド枠９８の上下端に上記回転締付部材９７が締結できるナット等の相手部材９９を固着した構造としている。固定側板９４と可動側板９５の内面には、それぞれ対応する複数の支持溝１００，１００，…が形成されるので、設定した両側板９４，９５の間隔に応じて、板材１０１が水平位置で向かい合った左右の支持溝１００，１００に掛け渡された状態に多段に載置収納できる。
【０００３】
【発明が解決しようとする課題】
上記例では、板材の収納幅に合わせて両側板９４，９５の間隔を設定する際に、基板と同じ間隔では基板が円滑に抜き差しできないため、僅かにクリアランスをとる必要がある。このクリアランスをとる微調整が以外と難しく、調整に時間がかかるという問題があった。
【０００４】
本発明は上記の板材収納枠の問題点を解決することを課題とするものであり、収納幅の間隔を設定する際にクリアランスの調整を短時間で行うことができる板材収納枠を提供することをその目的とするものである。
【０００５】
【課題を解決するための手段】
本発明は、この目的を達成するため次のような構成を採用している。
【０００６】
つまり、  対向して設けた左右の側板には、互いに対向する内面に互いに対応する複数の支持溝を設けるとともに、左右の側板間の間隔を調節する手段を有する板材収納枠であって、
該左右の側板の一方を他方の側板に向けて移動できるようにした可動側板とし、
前記側板または側板の上下に設けられる天板、底板または側板と天板、底板を連結し、側板に固着されるジョイントの中から適宜選択される部材の互いに対向する内面の少なくとも一方に互いに対向する内面の間隔が向き合う支持溝の間隔より小さくなるように突出する調整用突部を設け、
前記可動側板の４隅にそれぞれ固着している前記各ジョイントの内部には軸心が直交するように配置した水平軸のピニオン歯車と垂直軸のピニオン歯車を回動自在に設け、該ジョイントの内部に設けられた水平軸のピニオン歯車が水平方向に隣り合うジョイントの水平軸のピニオン歯車と、１本の回転する水平軸で連結され、垂直軸のピニオン歯車が上下に隣り合うジョイントの垂直軸のピニオン歯車と、１本の回転する垂直軸で連結されていて、
ガイドレールの水平面と垂直面には、前記ジョイント内に設けた前記ピニオン歯車と噛合するラックがその全長にわたって刻設されていて、前記各ジョイントに対応して天板と底板の内面にガイドレールとラックが設けられている板材収納枠を提供するものである。この調整用突部に収納すべき板材を接触させて板材の幅を合わせるだけで支持溝間は板材の幅より僅かに大きな間隔とすることができる。かつ、前記左右の側板のうち、少なくとも一方の側板を他方の側板に向けて平行移動する手段を設けているので、この平行移動する構成により、側板等のどこか１箇所で幅調整を行えば、１回の調整でクリアランスを得ることができるので、収納幅調整をより容易に迅速に行うことができる。
【０００７】
また、板材を抜き差しする側板の向き合う支持溝の間隔が、該支持溝と重ならない位置の互いに向き合う内面の間隔より大きくなるように前記調整用突部を設けることが望ましい。
【０００８】
【発明の実施の形態】
次に本発明に係る板材収納枠の実施の形態（以下、実施例という）を図面に基づいて説明する。
【０００９】
【実施例】
図１は本発明第一参考例の板材収納枠１４を示す正面図であり、図２は図１の平面図であり、図３は図１の側面図である。
【００１０】
図１，図２，図３に示したように、本発明の第一参考例に係る板材収納枠１４は、対向して設置された左右の側板１，１と、該側板１，１の上下に設けられるベース２，２と、該ベース２，２の対向する両端を連結する連結部材３，４とを備え、略箱体に形成される。
【００１１】
側板１，１は、互いに対向する面（内面）に互いに対応する複数の平行な支持溝８が形成された複数の単位板９と、単位板９の外面の長手方向両端部よりやや内側の上下に配設された鉤形片１０，１０，１０，１０とを備えて構成されてなる。すなわち、側板１，１は、各々の単位板９を、同一平面内に上下に複数枚組み合わせ、一対の鉤形片１０，１０内にハット材１１の舌片を差し込んで、複数の単位板９を串刺し状に一体化した構造を有している。そしてこの一体化した側板１，１のハット材１１の先端をベース２，２に設けた溝に差し込んでネジ止めし、側板１，１とベース２，２とを固定し、板状ユニット１２，１２を形成している。
【００１２】
連結部材３，４は、端部に形成した取付部７を介してベース２，２とネジで強固に固定されるとともに、互いに嵌合してスライド可能な形状に形成される。また、連結部材３，４には長手方向に沿って形成した長孔１３やネジ１５等を組み合わせて収納する板材５の幅の変化に応じて側板１，１間の長さ（間隔）調整ができるように形成される。
【００１３】
図４は、板材５の収納幅を設定する手段を説明する側面図（下方のみを示す）であって、わかりやすくするため板材５の飛び出しを防止するストッパ部材６等を省略してある。図５は図４のＦ部を中心にした拡大図である。側板１の向き合う支持溝８の間隔をＤとすると、支持溝８に重ならない位置に、Ｄ＞Ｅとなるように、側板１の互いに向き合う内面に調整用突部（支持溝８から内側に突出する部分）５５を設けたものであって、この調整用突部５５に板材５を接触させてＥの間隔に板材５を合わせることにより、支持溝８，８の間隔ＤはＥの間隔よりも僅かに大きくすることができるから、適度のクリアランスを有して円滑に板材５を抜き差しできるようになる。Ｄの間隔がＥの間隔より１ミリ程度大きくなるように調整用突部５５を設けることが望ましい。尚、前記調整用突部５５は、両側板１，１の対向した位置に設けた説明をしたが、突部の高さを二倍にして、どちらか一方の側板内面に設けても良い。
【００１４】
前述の調整用突部５５を有している溝は、図５では、最下の支持溝８の下部に設けられているが、この位置に限定されず、上方及び下方にそれぞれ前記調整用突部５５を備えた溝を設け、まず上方または下方のどちらか一方の溝に板材５を支持させて調整を先に行い、次に残った他方の溝に板材５を支持させて調整を行えば良い。勿論、上方及び下方のそれぞれに収納する板材５を支持させて、固定した側板に向かって可動側板を圧接、固定することにより一対の側板の間隔の調整が一回で効率良く行える。
前記調整用突部５５を有する溝は、既設の支持溝に所定の高さを有する突部を貼付することにより形成することもでき、側板の間隔の調整後、突起を剥離すれば、通常の支持溝として使用できる。
【００１５】
図３に示す６は、収納した板材の飛び出しを防止するストッパ部材であって、カムを有するヒンジ部材１６と組み合わせて、省スペースで容易に開閉操作ができるようにしている。
【００１６】
すなわち、図６の分解斜視図に示したように、アーム部１８の一端にストッパ部材６を設け、他端にカムを有するヒンジ部材１６を配設している。
【００１７】
カムを有するヒンジ部材１６は、図６の分解斜視図で示したように、アーム部１８の一端にストッパ部材６を配設し、他端にヒンジ部材１６を配設していて、
ベース２に固定される第一カム１９と、アーム部１８を介してストッパ部材６と一体に回転する第二カム２０と、第二カム２０を圧接方向に押圧する弾性部材（圧縮バネ）２１とを組み合わせてなる。
【００１８】
前記第一カム１９、第二カム２０はそれぞれ凹凸部３５，２６を設けたカム面を有し、カムの傾斜と弾性部材２１の押圧力により、ストッパ部材６を所定の角度回転したときカムの頂部を境にして開いた位置、あるいは閉じた位置のどちらかに導かれて固定されるよう形成している。
【００１９】
本発明は、上記参考例の板材収納枠ばかりでなく、例えば従来例の図１０に示したような長孔とネジを組み合わせた方式の板材収納枠にも適用できる。
【００２０】
また、ラックとピニオン歯車を組み合わせたり、チェーンを用いたりして、一方の側板を他方の側板に向けて平行に移動できるように形成したタイプの板材収納枠にも適用できる。このうち、ラックとピニオン歯車を組み合わせたタイプについて、図７、図８、図９を用いて説明する。
【００２１】
図７は、第一実施例の板材収納枠６０を説明する斜視図であって、上記第一参考例のベース２に相当する天板６１と底板６２は、亜鉛メッキ鋼板等をプレスにて曲げ加工して適度な剛性をもたせた成形品である。固定側板６３と可動側板６４は、内面に多数の支持溝６５…が形成され、外面には長手方向の両端部よりやや内側に互いに向かい合った一対の鉤形片６６を上下に複数並設した単位板６７を複数枚組合わせた構成としている。つまり、固定側板６３と可動側板６４は、それぞれ単位板６７を同一平面内に上下に複数枚重ね合わせて外面の一対の鉤形片６６，６６内に舌片７６を差し込んで、複数枚の単位板６７を串刺し状にして一体化している。固定側板６３は、ハット形材６８の上下端に取り付けられたジョイント（アングル材）６９にて、板材収納枠６０の左右いずれか一方の端で天板６１と底板６２に固着されている。板材収納枠６０の他方の端の角部には支柱７０を立設し、天板６１と底板６２とを一定の間隔に支持固定している。つまり、天板６１と底板６２、固定側板６３のハット形材６８とジョイント（アングル材）６９及び支柱７０にて、収納枠としての剛性ある箱体が完成される。可動側板６４が固定側板６３と向い合った状態で平行に移動して、固定側板６３に近づけたり遠ざけたりできるように、天板６１と底板６２の内面に、ガイドレール７１を固定側板６３に対して直角方向に配設すると共に、該ガイドレール７１を跨いで摺動自在なジョイント（スライダ）７２を設けている。ガイドレール７１は、可動側板６４の４隅部近くに設けたピニオン歯車７３に各２本（合計４本）を、取り付けている。本実施例では、天板６１と底板６２は、板金加工により形成しているが、合成樹脂で成形することもできる。この場合、ガイドレール７１は天板６１及び底板６２と一体成形にて形成することができる。
【００２２】
図８は、上述したピニオン歯車７３とラック７４を有するガイドレール７１を更に説明するために要部を一部破断して説明する斜視図である。可動側板６４のハット形材６８の上下端にジョイント（スライダ）７２を固着している。ジョイント（スライダ）７２の内部には軸心が直交するように配置した２個のピニオン歯車７３を回動自在に設けている。４個のジョイント（スライダ）７２の隣り合う２個のジョイント（スライダ）７２の内部に設けられたピニオン歯車７３は、１本の回転軸７７で連結されている。ガイドレール７１の水平面７８上と垂直面７９上には、（ジョイント）スライダ７２内に設けたピニオン歯車７３と噛合するラック７４がその全長にわたって刻設されている。可動側板５の４隅近くにジョイント（スライダ）７２とピニオン歯車７３が位置しており、これ等に対応して天板６１と底板６２の内面にガイドレール７１とラック７４が設けられているので、ガイドレール７１とジョイント（スライダ）７２の組み合わせ及びラック７４とピニオン歯車７３の組み合わせの作用により、可動側板６４の円滑な平行移動を可能にしている。
【００２３】
なお、図９は可動側板を固定する際の狭圧式の固定手段の分解斜視図である。ジョイント（スライダ）７２の一部に、天板６１、底板６２に接する固定片８１が突出していて、固定片８１には長孔８０に対応して取付孔８２を穿設し、固定片８１上にロックレバー８３とテンションロッド８６とスプリングピンを結合して設けている。カム面８４を有するロックレバー８３のレバー部８５を揺動操作することによりテンションロッド８６の膨大部８７が長孔８０の裏側に強く押し当てられたりあるいは遠ざかったりして、ロック状態やロック解除状態になるようにしている。
【００２４】
この第一実施例の板材収納枠６０ように可動側板６４が円滑に平行移動するように構成している場合には、第一参考例と異なり、側板のどこか１箇所で幅調整を行えば調整が完了できるから、前記調整用突部５５は側板１のどこかに１箇所設けるだけで良いとともに、クリアランスの調整をより迅速に行うことができる。
【００２５】
上記第一参考例、第一実施例において、調整用突部５５を側板１，１や６３，６４に設ける場合について述べたが、側板に限らず、側板の上下に設けられるベース（天板、底板）や、側板とベースを連結するジョイントに調整用突部を設けても良い。以下、その例について図面に基づいて説明する。
【００２６】
図１０は、上記第一実施例の板材収納枠６０とほぼ同様の構成を備えた第二実施例の板材収納枠６０Ａにおいて、ジョイント６９Ａ、７２Ａに調整用突部５５を設けた例を説明する側面図（下方のみを示す）である。図１０に示す板材収納枠６０Ａは、固定側板６３Ａとベース（天板、底板）６２Ａとをジョイント６９Ａで連結固定するとともに、可動側板６４Ａとベース６２Ａとを（上記板材収納枠６０のジョイント７２と同様の構成を有する）ジョイント７２Ａで可動側板６４Ａがスライド可能に連結したものである。また、７４Ａはジョイント７２Ａ内に設けられた歯車（図示せず）が噛み合うラックであり、８３Ａは可動側板６４Ａを前述の第一実施例の板材収納枠６０と同様にロック状態に固定するためのロックレバーである。この板材収納枠６０Ａは、対向するジョイント６９Ａとジョイント７２Ａの内面に調整用突部５５を設けていて、収納する板材５を調整用突部５５に接触させることにより、対向する支持溝８，８間に適切なクリアランスを得ることができる。
【００２７】
図１１は、上記第一、第二実施例の板材収納枠６０、６０Ａのラックや歯車に代えて、長孔と長孔を挿通するネジ等の回転締付部材を備えた第二参考例の板材収納枠６０Ｂにおいて、側板の上下に設けられるベース（底板）や側板とベースを連結するジョイントに調整用突部を設けた例を説明する側面図（下方のみを示す）である。この図１１に示す板材収納枠６０Ｂは、合成樹脂製のベース（天板、底板）６２Ｂに長孔（図示せず）を設け、長孔には外側から固定できる六角ボルトや長ネジ等の回転締付部材１５Ｂを挿通させ、回転締付部材１５Ｂをジョイント７２Ｂに締結して、可動側板６４Ｂをジョイント７２を介してベース６２Ｂにスライド可能に設けたものである。この板材収納枠６０Ｂは、固定側板６３Ｂ側にはベース６２Ｂ（ハット形材６８が差し込まれる箇所）に一体に調整用突部５５を設けているとともに、可動側板６４Ｂ側にはジョイント７２Ｂに調整用突部５５を設けていて、収納する板材５を調整用突部５５に接触させることにより、対向する支持溝８，８間に適切なクリアランスを得ることができる。
【００２８】
図１０や図１１に示した第二実施例、第二参考例の板材収納枠６０Ａ、６０Ｂように、本発明は、調整用突部５５を設ける箇所が、側板に限られるわけではなく、固定側板側は側板、ベース、ジョイントの３つの部材から適宜選択され、可動側板側は側板、ジョイントの２つの部材から適宜選択される。また、前述の第一実施例の板材収納枠６０では調整用突部５５は突部５５の高さを２倍にしてどちらか一方の側板内面に設けても良い旨述べたが、同様に調整用突部５５は突部５５を設けることを選択した部材が側板でも、ベースでも、ジョイントでも、対向する内面の一方に突部の高さを２倍にして設けても良い。
【００２９】
【発明の効果】
本発明は、上記のように構成されているので、次に記載する効果を奏する。
【００３０】
請求項１の発明によれば、この調整用突部に収納すべき板材を接触させて板材の幅を合わせるだけで支持溝間は基板より僅かに大きな間隔となるから、誰でもクリアランスの調整を短時間で行うことができる板材収納枠を提供することができる。
【００３１】
かつ、前記左右の側板のうち、少なくとも一方の側板を他方の側板に向けて平行移動する手段を設けているので、側板の１箇所で調整を行えば良く、クリアランスの調整をより容易に迅速に行うことができる板材収納枠を提供することができる。
【図面の簡単な説明】
【図１】  本発明の第一参考例を示す正面図である。
【図２】  図１の平面図である。
【図３】  図１の側面図である。
【図４】  本発明第一参考例の収納幅設定手段を示す側面図である。
【図５】  図４の部分拡大図である。
【図６】  本発明第一参考例のストッパ部材を示す分解斜視図である。
【図７】  本発明の第一実施例を示す斜視図である。
【図８】  本発明の第一実施例の要部を示す斜視図である。
【図９】  本発明の第一実施例の狭圧固定手段を示す分解斜視図である。
【図１０】  本発明の第二実施例を示す側面図である。
【図１１】  本発明の第二参考例を示す側面図である。
【図１２】  従来の板材収納枠を示す斜視図である。
【符号の説明】
１      側板
３      連結部材
４      連結部材
８      支持溝
１４    板材収納枠
５５    調整用突部
６０    板材収納枠
６０Ａ  板材収納枠
６０Ｂ  板材収納枠
６３    固定側板
６３Ａ  固定側板
６３Ｂ  固定側板
６４    可動側板
６４Ａ  可動側板
６４Ｂ  可動側板
【図１】
0004577546.tif 000002
【図２】
0004577546.tif 000003
【図３】
0004577546.tif 000004
【図４】
0004577546.tif 000005
【図５】
0004577546.tif 000006
【図６】
0004577546.tif 000007
【図７】
0004577546.tif 000008
【図８】
0004577546.tif 000009
【図９】
0004577546.tif 000010
【図１０】
0004577546.tif 000011
【図１１】
0004577546.tif 000012
【図１２】
0004577546.tif 000013